(57)【要約】【課題】柔軟性を維持しつつ、着用時に着用者の肌を刺激し難く、肌の赤み、湿疹、汗疹、かぶれ等の皮膚トラブルを低減することが期待できる使い捨ておむつを提供すること。【解決手段】おむつ１は、少なくとも背側部Ｂが、少なくとも吸収体４と重ならない部位に、複数枚の不織布が積層された構造を有し且つ弾性部材が横方向Ｙに沿って伸長状態で配された伸縮性フラップ部を有している。伸縮性フラップ部は、弾性部材よりも肌当接面側に位置する肌側不織布２３に、横方向Ｙに延在する親水領域６０と、該親水領域６０に隣接する非親水領域６１とを有している。親水領域６０及び非親水領域６１のうちの一方又は双方に、前記肌側不織布の構成繊維が融着したエンボス部６５，６６が複数形成されている。親水領域６０と非親水領域６１とは、単位面積当たりのエンボス部６５，６６の総面積が異なっている。【選択図】図４
2019118570.tif 000002
【特許請求の範囲】
【請求項１】
着用者の前後方向に対応する縦方向及びこれに直交する横方向を有し、着用者の腹側に配される腹側部と、着用者の背側部に配される背側部と、該腹側部及び該背側部の間に位置する股下部とを有し、吸収体を具備する使い捨ておむつであって、
前記腹側部及び前記背側部のうちの少なくとも前記背側部は、少なくとも前記吸収体と重ならない部位に、複数枚の不織布が積層された構造を有し且つ弾性部材が前記横方向に沿って伸長状態で配された伸縮性フラップ部を有しており、
前記伸縮性フラップ部は、前記弾性部材よりも肌当接面側に位置する肌側不織布に、前記横方向に延在する親水領域と、該親水領域に隣接する非親水領域とを有しており、
前記親水領域及び前記非親水領域のうちの一方又は双方に、前記肌側不織布の構成繊維が融着したエンボス部が複数形成されており、
前記親水領域と前記非親水領域とは、単位面積当たりの前記エンボス部の総面積が異なっている、使い捨ておむつ。
【請求項２】
前記親水領域は、前記非親水領域に比して、単位面積当たりの前記エンボス部の総面積が小さい、請求項１に記載の使い捨ておむつ。
【請求項３】
前記親水領域及び前記非親水領域それぞれには、不連続の前記エンボス部が複数形成されており、
前記親水領域は、前記非親水領域に比して、前記エンボス部の１個当たりの面積が小さい、請求項１又は２に記載の使い捨ておむつ。
【請求項４】
前記親水領域及び前記非親水領域それぞれには、不連続の前記エンボス部が複数形成されており、
前記親水領域は、前記非親水領域に比して、単位面積当たりの前記エンボス部の個数が少ない、請求項１〜３の何れか１項に記載の使い捨ておむつ。
【請求項５】
前記親水領域と前記非親水領域とは、前記エンボス部の形状が異なっている、請求項１〜４の何れか１項に記載の使い捨ておむつ。
【請求項６】
前記親水領域は、前記エンボス部どうしの間隔が、前記非親水領域における前記エンボス部どうしの間隔以上である、請求項１〜５の何れか１項に記載の使い捨ておむつ。
【請求項７】
前記親水領域及び前記非親水領域それぞれには、一方向に連続する前記エンボス部が間隔をあけて複数本形成されており、
前記親水領域は、前記非親水領域に比して、前記エンボス部どうしの間隔が長い、若しくは前記エンボス部の幅が短い、又は前記エンボス部どうしの間隔が長く且つ前記エンボス部の幅が短い、請求項１〜６の何れか１項に記載の使い捨ておむつ。
【請求項８】
前記非親水領域のみに、前記エンボス部が形成されている、請求項１又は２に記載の使い捨ておむつ。
【請求項９】
前記親水領域の肌対向面に、疎水性不織布が積層されている、請求項１〜８の何れか１項に記載の使い捨ておむつ。
【請求項１０】
前記親水領域は、前記疎水性不織布と接合している、請求項９に記載の使い捨ておむつ。
【請求項１１】
前記親水領域における単位面積当たりの前記エンボス部の総面積、及び単位面積当たりの前記親水領域と前記疎水性不織布との接合面積の合計は、単位面積当たりの前記非親水領域の前記エンボス部の面積以上である、請求項１０に記載の使い捨ておむつ。
【請求項１２】
帯状シートの連続方向に延在する親水領域と、該親水領域に隣接する非親水領域とを有しており、
前記親水領域は、熱可塑性繊維の配向方向に沿って連続しており、
前記親水領域及び前記非親水領域のうちの一方又は双方に不織布の構成繊維が融着したエンボス部が複数形成されており、
前記親水領域と前記非親水領域とは、単位面積当たりの前記エンボス部の総面積が異なっている、帯状シートのロール巻回物。
【請求項１３】
親水領域と、該親水領域に隣接する非親水領域とを有しており、
前記親水領域及び前記非親水領域のうちの一方又は双方に、不織布の構成繊維が融着したエンボス部が複数形成されており、
前記親水領域と前記非親水領域とは、単位面積当たりの前記エンボス部の総面積が異なっている、吸収性物品用シート。
【発明の詳細な説明】
【技術分野】
【０００１】
本発明は、使い捨ておむつに関する。
【背景技術】
【０００２】
液透過性の高い領域と液透過性の低い領域とを有するシートを、構成部材として用いている使い捨ておむつが知られている。例えば、特許文献１には、横方向の中央において縦方向に沿って延びるトップ部と、該トップ部の両側において縦方向に沿って延び、不透液性を有する左右のサイド部とを有する内側シート材と、該内側シート材の外面側に配置され、不透液性を有する外側シート材と、水分を吸収する吸収素材を有し、内側シート材と外側シート材との間に配置される吸収コアとを備え、トップ部は、透液性を有する複数の透液領域と、不透液性を有する複数の不透液領域とを有する連続したシートにより形成され、該透液領域と該不透液領域とが、縦方向に沿って延び、かつ横方向に対して交互に配置されている、吸収性物品が記載されている。特許文献１によれば、不透液領域にて尿を拡散させると共に、透液領域にて尿を透過して吸収コアに吸収させることで、吸収コア全体の使用効率を上げている。
【０００３】
また、隣接する部材に水分を素早く移動させる観点から、使い捨ておむつのシート部材に圧搾部を設ける技術が知られている。例えば、特許文献２には、肌対向面を形成するトップシートの前身頃の胴領域及び／又は上記後身頃の胴領域に、点状の圧搾部を、所定の範囲の密度で有し、前身頃の胴領域及び／又は後身頃の胴領域に、２個の点状の圧搾部に挟まれた、高さが低くなった凸部の区域が存在し、該区域における凸部が、隣接する凸部と、縦方向に同一の位置において異なる高さを有することを特徴とする使い捨ておむつが記載されている。
【０００４】
ところで、汗疹などの肌トラブルを低減する観点から、ウエスト周りや腰周り等の部位に親水性を有するウエブや吸汗性シートが配された吸収性物品が知られている（特許文献３及び４）。特許文献３に記載のウエブや、特許文献４に記載の吸汗性シートを、着用者のウエスト周りや腰周りと当接する部位に別部材として追加すると、柔軟性が低下する他、ウエブや吸汗性シートの端部が身体に当たることで肌への刺激となり、赤み等の肌トラブルを引き起こす原因となり得る。また、ウエブや吸汗性シートの代わりに、特許文献１に記載のような液透過性の異なる領域を有するシートを用いる場合、液透過性の高い領域を汗のかきやすい部位に確実に配置することが望まれる。しかし、特許文献１に記載の技術は、親水性の高い領域を正確に配置することについて考慮されたものではない。また、特許文献２は親水性の異なる領域を形成することについて考慮されたものではない。
【先行技術文献】
【特許文献】
【０００５】
【特許文献１】特開２０１２−２５２号公報
【特許文献２】特開２０１２−７５６３８号公報
【特許文献３】特開２００６−１４１５４９号公報
【特許文献４】特開２００７−２５９８７４号公報
【発明の概要】
【発明が解決しようとする課題】
【０００６】
本発明の課題は、前述した従来技術が有する欠点を解消し得る使い捨ておむつ、不織布、及び吸収性物品用シートを提供することにある。
【課題を解決するための手段】
【０００７】
本発明は、着用者の前後方向に対応する縦方向及びこれに直交する横方向を有し、着用者の腹側に配される腹側部と、着用者の背側部に配される背側部と、該腹側部及び該背側部の間に位置する股下部とを有し、吸収体を具備する使い捨ておむつであって、前記腹側部及び前記背側部のうちの少なくとも前記背側部は、少なくとも前記吸収体と重ならない部位に、複数枚の不織布が積層された構造を有し且つ弾性部材が前記横方向に沿って伸長状態で配された伸縮性フラップ部を有しており、前記伸縮性フラップ部は、前記弾性部材よりも肌当接面側に位置する肌側不織布に、前記横方向に延在する親水領域と、該親水領域に隣接する非親水領域とを有しており、前記親水領域及び前記非親水領域のうちの一方又は双方に、前記肌側不織布の構成繊維が融着したエンボス部が複数形成されており、前記親水領域と前記非親水領域とは、単位面積当たりの前記エンボス部の総面積が異なっている、使い捨ておむつを提供するものである。
【０００８】
また本発明は、帯状シートの連続方向に延在する親水領域と、該親水領域に隣接する非親水領域とを有しており、前記親水領域は、前記熱可塑性繊維の配向に沿って連続しており、前記親水領域及び前記非親水領域のうちの一方又は双方に不織布の構成繊維が融着したエンボス部が複数形成されており、前記親水領域と前記非親水領域とは、単位面積当たりの前記エンボス部の総面積が異なっている、帯状シートのロール巻回物を提供するものである。
【０００９】
また本発明は、親水領域と、該親水領域に隣接する非親水領域とを有しており、前記親水領域及び前記非親水領域のうちの一方又は双方に、不織布の構成繊維が融着したエンボス部が複数形成されており、前記親水領域と前記非親水領域とは、単位面積当たりの前記エンボス部の総面積が異なっている、吸収性物品用シートを提供するものである。
【発明の効果】
【００１０】
本発明によれば、柔軟性を維持しつつ、着用時に着用者の肌を刺激し難く、肌の赤み、湿疹、汗疹、かぶれ等の皮膚トラブルを低減することが期待できる。
【図面の簡単な説明】
【００１１】
【図１】図１は、本発明の一実施形態であるパンツ型使い捨ておむつの使用状態（着用状態）を示す斜視図である。
【図２】図２は、図１に示すパンツ型使い捨ておむつの展開且つ伸長状態を示す一部破断平面図である。
【図３】図３は、図２のＩ−Ｉ線断面図である。
【図４】図４は、図３に示す内層不織布の折り返す前の状態を示す平面図である。
【図５】図５（ａ）〜（ｅ）は、本発明に係る親水領域及び非親水領域におけるエンボスパターンを例示する平面図である。
【図６】図６（ａ）及び（ｂ）は、本発明に係る親水領域と疎水性不織布との接合方法を説明する図であり、縦方向に沿う断面図である。
【図７】図７は、本発明に係る親水領域及び非親水領域におけるエンボスパターンのさらに別の実施形態を例示する平面図である。
【図８】図８は、本発明に係る原反ロールの一実施形態を示す斜視図である。
【図９】図９は、本発明に係る原反ロールの別の実施形態を示す斜視図である。
【図１０】図１０は、本発明に係るおむつの別の実施形態を示す図３相当図である。
【図１１】図１１は、クレム吸収高さの測定方法を説明するための説明図である。
【図１２】図１２は、単位面積当たりの不連続エンボス部の個数の算出方法を説明するための説明図である。
【図１３】図１３は、本発明に係るおむつのさらに別の実施形態を示す図３相当図である。
【図１４】図１４は、本発明に係るおむつのさらに別の実施形態を示す図３相当図である。
【図１５】図１５は、本発明に係るおむつのさらに別の実施形態を示す図３相当図である。
【発明を実施するための形態】
【００１２】
以下に、本発明をその好ましい実施形態に基づき図面を参照しながら説明する。
本発明の一実施形態である使い捨ておむつ１について、図１及び図２を参照しつつ説明する。図１に示すように、本実施形態の使い捨ておむつ１（以下、おむつ１ともいう）は、パンツ型の使い捨ておむつであり、着用者の前後方向に対応する縦方向Ｘ及びこれに直交する横方向Ｙを有している。おむつ１は、図２に示すように、表面シート２、裏面シート３、及びこれら両シート２，３間に介在された吸収体４を備えた吸収性本体５を具備している。また、おむつ１は、吸収性本体５の非肌対向面側に位置する外装体１０を具備している。
おむつ１は、着用時に、着用者の腹側に配される腹側部Ａと、着用者の背側に配される背側部Ｂと、腹側部Ａ及び背側部Ｂの間に位置する股下部Ｃを有しており、腹側部Ａにおける横方向Ｙの両端部と背側部Ｂにおける横方向Ｙの両端部とが接合されて一対のサイドシール部Ｓ，Ｓが形成されている。また、この接合によって、ウエスト開口部７及び一対のレッグ開口部８，８が形成されている。
【００１３】
本実施形態のおむつ１における外装体１０は、腹側部Ａを形成する腹側外装体１０Ａと、背側部Ｂを形成する背側外装体１０Ｂとを有しており、一対のサイドシール部Ｓ，Ｓにおいては、腹側外装体１０Ａと背側外装体１０Ｂとが接合されている。吸収性本体５は、図２に示すように、腹側外装体１０Ａの横方向Ｙの中央部と背側外装体１０Ｂの横方向Ｙの中央部とに架け渡されて固定されている。吸収性本体５は、腹側外装体１０Ａ及び背側外装体１０Ｂのそれぞれと重なる部分が、接着剤等の公知の接合手段により、全面的又は部分的に、両外装体部材１０Ａ，１０Ｂと接合されている。
外装体１０は、腹側又は背側外装体における横方向Ｙの両端に、腹側外装体１０Ａと背側外装体１０Ｂとの間が接合されていない細幅の領域、例えば１０ｍｍ以下の領域を有していても良く、その場合も、腹側部Ａと背側部Ｂとが横方向Ｙの両端部において接合されている場合に含まれる。
【００１４】
本実施形態のおむつ１は、図２に示すように、該おむつ１の縦方向Ｘに延びる縦方向中心線ＣＬに対して左右対称に形成されている。したがって以下の説明では、左右対称な部分については、主として図２中の右側について説明するが、左側も、右側と左右対称である点を除いて同様の構成を有している。
なお、おむつ１の縦方向Ｘは、着用者の前後方向に対応している。より具体的には、着用者の腹側に配される部分から股間に配される部分を経て背側に配される部分に至る方向であり、通常、吸収性本体５の長手方向や吸収体４の長手方向と一致している。他方、横方向Ｙは、図２に示すように、おむつ等の吸収性物品を展開して各弾性部材を引き伸ばした状態において、縦方向Ｘと直交する方向であり、また、図１に示すように、腹側部Ａと背側部Ｂとが連結されて形成された筒状の胴回り部Ｄにおいては、その周方向と一致する。また、縦方向Ｘは、腹側部Ａ及び背側部Ｂにおいて着用時の上下方向であるため、腹側部Ａ及び背側部Ｂそれぞれにおいて、ウエスト開口部７側を上方、股下部Ｃ側を下方ともいう。
【００１５】
本明細書において、「肌対向面」とは、吸収性本体５を構成する後述する表面シート２などの各部材の表裏両面のうち、着用時に着用者の肌側に配される面であり、「非肌対向面」とは、吸収性本体５を構成する後述する表面シート２などの各部材の表裏両面のうち、着用時に着用者の肌側とは反対側に向けられる面である。
【００１６】
本実施形態のおむつ１における背側部Ｂは、図２に示すように、吸収体４と重ならない部位に、複数枚の不織布が積層された構造を有し且つ弾性部材７１が横方向Ｙに沿って伸長状態で配された伸縮性ウエストフラップ部Ｇ１を有している。本実施形態においては、伸縮性ウエストフラップ部Ｇ１が、本発明における「伸縮性フラップ部」である。
本実施形態のおむつ１は、図２に示すように、腹側部Ａ及び背側部Ｂ、より具体的には、腹側外装体１０Ａと背側外装体１０Ｂとが同様の構成を有しており、腹側部Ａにも、背側部Ｂの伸縮性ウエストフラップ部Ｇ１と同様の構成を有する伸縮性ウエストフラップ部Ｇ１を有している。したがって、以下においては、背側部Ｂにおける伸縮性ウエストフラップ部Ｇ１の構成について説明するが、腹側部Ａの伸縮性ウエストフラップ部Ｇ１についても同様の説明が適用される。尤も、本発明の使い捨ておむつは、腹側部Ａと背側部Ｂとが同様の構成を有するものに限られず、背側部Ｂのみが、以下に説明する伸縮性ウエストフラップ部Ｇ１や他の構成を有していてもよい。
【００１７】
本実施形態において背側外装体１０Ｂは、図２に示すように、おむつの外面をなす外層不織布２２と、外層不織布２２の内面側に配された内層不織布２３と、両不織布２２，２３間に伸長状態で配された複数本の糸状の弾性部材７１，９１とを備えている。
おむつ１は、背側部Ｂにおける吸収体４と重ならない部位として、吸収体４の縦方向Ｘの端部４ａ，４ｂより縦方向Ｘの外方に位置する第１部分と、吸収体４の横方向Ｙの端縁より横方向Ｙの外方に位置する第２部分とを有しており、第１部分に、前述した伸縮性ウエストフラップ部Ｇ１を備えている。また第２部分に、胴回り下部伸縮領域Ｇ２を有している。
図２おいて、符号７１は伸縮性ウエストフラップ部Ｇ１に配された弾性部材７１であり、符号９１は胴回り下部伸縮領域Ｇ２に配された弾性部材７１である。以下、伸縮性を有する伸縮性ウエストフラップ部Ｇ１及び胴回り下部伸縮領域Ｇ２を纏めて、伸縮領域Ｇともいう。おむつ１において外装体１０は、外層不織布２２と内層不織布２３とを有している。内層不織布２３は、外層不織布２２よりも着用者の肌に近い側に配されている。また、本実施形態において外層不織布２２はおむつ１の外面をなしている。伸縮領域Ｇは、弾性部材７１，９１等の伸縮性部材、及び該伸縮性部材と外装体１０の厚み方向に重なる不織布等の積層体が、該伸縮部材の伸縮によって、横方向Ｙに伸縮する領域である。
【００１８】
伸縮性ウエストフラップ部Ｇ１は、おむつ１の縦方向Ｘにおいて、吸収体４の縦方向の両端部５ａ，５ｂそれぞれの外方に形成されている。伸縮性ウエストフラップ部Ｇ１は、ウエスト開口部７の周縁部に形成されており、着用時に着用者のウエスト部に配される。胴回り下部伸縮領域Ｇ２は、腹側外装体１０Ａ及び背側外装体１０Ｂのそれぞれにおいて、伸縮性ウエストフラップ部Ｇ１より下方であってサイドシール部Ｓの下端より上方に形成されている（図１参照）。
本実施形態の伸縮性ウエストフラップ部Ｇ１及び胴回り下部伸縮領域Ｇ２においては、外層不織布２２と内層不織布２３との間が、縦方向Ｘ及び横方向Ｙに間隔をあけて形成された複数の接合部（不図示）で接合されている。本実施形態における複数の接合部は、外層不織布２２と内層不織布２３とを部分的に融着することにより形成されている。
【００１９】
本実施形態の伸縮領域Ｇにおいては、複数本の弾性部材７１，９１はそれぞれ、複数の接合部どうし間の隙間を通って、横方向Ｙに延びるように配されている。弾性部材７１，９１は、接合部どうし間を通り、該接合部に固定されない状態で配されている。
【００２０】
本実施形態のおむつ１においては、図２に示すように、背側外装体１０Ｂは、縦方向中心線ＣＬの両側それぞれに、外層不織布２２と内層不織布２３との間が接着剤を介して接合された一対の外側固定領域２７を有しており、また、吸収性本体５の側縁５ｃの位置の近傍に、外層不織布２２と内層不織布２３との間が接着剤を介して接合された本体側固定領域２８を有している。一対の外側固定領域２７は、腹側外装体１０Ａ（腹側部Ａ）及び背側外装体１０Ｂ（背側部Ｂ）のそれぞれに横方向Ｙにおいて、本体側固定領域２８から外側（サイドシール部側）に離間した部位に形成されており、より具体的には、横方向Ｙの端部又はその近傍に形成されている。外側固定領域２７は、サイドシール部Ｓと全体又は一部が重なることが好ましい。
【００２１】
伸縮性ウエストフラップ部Ｇ１には、複数本の弾性部材７１が、一対の外側固定領域２７間に亘って配されており、それらの弾性部材７１は、一対の外側固定領域２７のそれぞれにおいて外層不織布２２及び内層不織布２３間に固定されている一方、外側固定領域２７間においては、外層不織布２２及び内層不織布２３の何れにも固定されていない。
他方、胴回り下部伸縮領域Ｇ２には、複数本の弾性部材２４が、外側固定領域２７と本体側固定領域２８との間に亘って配されており、それらの弾性部材２４は、外側固定領域２７及び本体側固定領域２８のそれぞれにおいて、外層不織布２２及び内層不織布２３間に固定されている一方、外側固定領域２７と本体側固定領域２８との間においては、外層不織布２２及び内層不織布２３の何れにも固定されていない。また、胴回り下部伸縮領域Ｇ２には、一対の本体側固定領域２８間に、弾性部材９１が配されていないか、弾性部材９１が、切断等の弾性伸縮性を発現しないようにする処理を施された状態で配されている。
【００２２】
本体側固定領域２８は、図２に示すように、その全体が吸収性本体５と重なるように形成されていても良いが、吸収性本体５の側縁５ｃの内外に亘るように形成されていても良い。また、本体側固定領域２８は、吸収性本体５の側縁５ｃよりおむつ横方向の外方に形成されていても良い。なお、本体側固定領域２８の全体が吸収性本体５と重なっている態様には、本体側固定領域２８のおむつ横方向外側の端部の位置と吸収性本体５の側縁５ｃの位置とが一致する態様と、本体側固定領域２８が、吸収性本体５の側縁５ｃとの間に所定の間隔を設けて形成されている態様との両者が含まれる。
【００２３】
伸縮領域Ｇは、弾性部材７１，９１が横方向Ｙに伸長状態で配されていることにより、横方向Ｙに伸縮する。これにより伸縮領域Ｇは、外層不織布２２、又は外層不織布２２及び内層不織布２３の両不織布２２，２３が、外層不織布２２の厚み方向に膨らむように変形して、内部に中空部を有する襞が複数形成される（不図示）。襞は、横方向Ｙに隣り合う接合部どうし間に形成される。
【００２４】
おむつ１における伸縮性ウエストフラップ部Ｇ１は、弾性部材７１よりも肌当接面側に位置する不織布である肌側不織布を少なくとも１枚有しており、そのうちの一枚の肌側不織布２３ｂに、横方向Ｙに延在する親水領域６０と、親水領域６０に隣接する非親水領域６１とを有している。
より具体的には、背側外装体１０Ｂは、吸収体４と重なる部位において、該吸収体４よりも非肌当接面側に位置する外層不織布２２及び内層不織布２３が、ウエスト開口部７の周縁端５１に沿っておむつ１の肌対向面側に折り返された折り返し部２１を備えている。背側外装体１０Ｂは、該外装体１０Ｂを構成する外層不織布２２及び内層不織布２３の何れもが、図３に示すように、ウエスト開口部の周縁端５１において、おむつ１の肌対向面側に折り返されており、背側外装体１０Ｂの折り返しにより生じた折り目部分５２ａ，５２ｂを境に、ウエスト開口部７の周縁端５１から股下部Ｃ方向へ延びている。この折り目部分５２ａ，５２ｂから肌対向面側に折り返された部分が、折り返し部２１である。本実施形態においては、折り返し部２１において、外層不織布２２及び内層不織布２３が折り返されているウエスト開口部７の周縁端５１が上端であり、股下部Ｃ側の端部が下端である。また、折り目部分５２を境に折り返し部２１と相対向する、背側外装体１０Ｂの折り返していない部分を、外装体本体２０ともいう（図３参照）。
【００２５】
おむつ１における伸縮性ウエストフラップ部Ｇ１は、図３に示すように、弾性部材７１よりも肌当接面側に位置する肌側不織布として、内層不織布２３と、外層不織布２２の、おむつ１の内面側に折り返された部分２２ａとを有しており、そのうちの内層不織布２３に、親水領域６０と非親水領域６１が形成されている。内層不織布２３は、弾性部材７１よりも肌当接面側に、おむつ１の内面側に折り返された部分２３ａと、おむつ１の内面側に折り返されていない部分２３ｃとを有する。おむつ１においては、内層不織布２３におけるおむつ１の内面側に折り返された部分２３ａに、前述した親水領域６０及び非親水領域６１を有しており、それが好ましい構成であるが、それに代えて、折り返された部分２３ａに親水領域６０を有し、折り返されていない部分２３ｃに非親水領域６１を有していても良い。
外層不織布２２の、おむつ１の内面側に折り返された部分２２ａは、前述した折り返し部分２１における外層不織布２２であり、以下、折り返し外層不織布２２ａともいう。また内層不織布２３の、おむつ１の内面側に折り返された部分２３ａは、前述した折り返し部分２１における外層不織布２２であり、以下、折り返し内層不織布２３ａともいう。
なお、本実施形態における折り返し外層不織布２２ａ及び折り返し内層不織布２３ａは、縦方向Ｘにおいて吸収性本体５の同方向Ｘの端部５ｂの外方で重なっており、該折り返し外層不織布２２ａが折り返し内層不織布２３ａよりも肌対向面側に位置している。折り返し外層不織布２２ａは、折り返し内層不織布２３ａよりも股下部Ｃに延びており、吸収性本体５の背側部Ｂ側の一部と重なっている（図３参照）。折り返し内層不織布２３ａは、縦方向Ｘにおいて吸収性本体５に至らず、該折り返し内層不織布２３ａの下端が、吸収性本体５の背側部Ｂ側の端部５ｂよりも縦方向Ｘの外方に位置している（図３参照）。即ち、本実施形態において折り返し内層不織布２３ａは、吸収性本体５と重なっていない。
【００２６】
前述したとおり、本実施形態のおむつ１においては、前述した内層不織布２３、より具体的には、内層不織布２３の、おむつ１の内面側に折り返された部分２３ａが、親水領域６０及び非親水領域６１を有する肌側不織布である。またおむつ１において、「肌側不織布」である内層不織布２３は、接触角が９０°以上の繊維を含んでいる。内層不織布２３の折り返されていない部分２３ｃも、非親水領域６１となっていることが好ましい。
【００２７】
おむつ１では、内層不織布２３は、横方向Ｙに延在す親水性の繊維を含む親水度が高い親水領域６０と、該親水領域６０に隣接しており疎水性の繊維を含む非親水領域６１とを有している。本実施形態において内層不織布２３は、折り返し内層不織布２３ａの股下部Ｃ側の端部側に親水領域６０を有し、該親水領域６０は、外装体１０の横方向Ｙの全長に亘っている（図２参照）。内層不織布２３は、折り返す前の外装体本体２０から、折り目部分５２ｂを介して折り返し内層不織布２３ａにおける親水領域６０の縦方向Ｘの上端にかけて非親水領域６１を有している。非親水領域６１は、横方向Ｙに連続しており、外装体１０の横方向Ｙの全長に亘っている（図２参照）。このように、親水領域６０と非親水領域６１とは、連続する一枚の不織布２３に形成されている。
内層不織布２３における親水領域６０と非親水領域６１とは、後述する方法で測定される繊維の接触角に基づき判断される。内層不織布２３あるいはその一部の領域が親水性であるか非親水性であるかは、各領域における繊維の接触角の高低により区別される。
内層不織布２３における親水領域６０と非親水領域６１とは、後述する方法で測定される繊維の接触角に基づき判断される。内層不織布２３あるいはその一部の領域が親水性であるか非親水性であるかは、各領域における繊維の接触角の高低により区別される。具体的には、各領域から採取した繊維の接触角が９０°より小さい領域が親水領域６０であり、繊維の接触角が９０°以上である領域が非親水領域６１である。繊維の接触角が９０°より小さければ親水度の高い親水性の繊維と判断し、また、接触角が９０°以上であれば、親水度の低い疎水性の繊維と判断する。
【００２８】
親水領域６０は、親水性の繊維を５０％以上含有していることが好ましい。また、親水性の繊維の含有量は親水領域６０の全質量に対して１００質量％であっても良い。
非親水領域６１は、非親水性の繊維を５０％以上含有していることが好ましい。また、非親水性の繊維の含有量は非親水領域６１の全質量に対して１００質量％であっても良い。
【００２９】
図４は、本実施形態の内層不織布２３を折り返す前の状態を示す平面図である。図４に示す符号ＢＬは、親水領域６０と非親水領域６１とを区切る境界線である。また、図４に、内層不織布を折り返す折り目部分５２ｂ、折り返した後、折り返し不織布となる部分２３ａ及び折り返し不織布２３ａの股下部Ｃ側の端部となる部分ａを示す。折り返す前の内層不織布２３において、部分ａ側を上方、部分ａとは反対側を下方ともいう。
内層不織布２３は、構成繊維が相互に融着したエンボス部６５が複数形成されている。本実施形態においては、図４に示すように、内層不織布２３の親水領域６０及び非親水領域６１それぞれに複数のエンボス部６５，６６を有している。以下、親水領域６０に設けられたエンボス部６５を第１エンボス部６５、非親水領域６１に設けられたエンボス部６６を第２エンボス部６６ともいう。第１エンボス部６５及び第２エンボス部６６はそれぞれ、図４に示すように、内層不織布２３の平面視において散点状に配されている。
【００３０】
親水領域６０と非親水領域６１とは、単位面積（１０ｍｍ四方の１００ｍｍ２）当たりのエンボス部６５，６６の総面積が異なっている。本実施形態において親水領域６０と非親水領域６１とは、第１エンボス部６５と第２エンボス部６６との１個当たりの面積が異なっており、これにより親水領域６０における第１エンボス部６５の総面積と、非親水領域における第２エンボス部６６の総面積とが異なっている。このように、親水領域６０及び非親水領域６１とは、各領域のエンボスパターンを異ならせることによって、エンボス部の総面積を異ならせることができる。単位面積（１０ｍｍ四方の１００ｍｍ２）当たりのエンボス部６５，６６の総面積は、以下の方法により測定される。
【００３１】
＜単位面積当たりエンボス部の総面積の測定方法＞
おむつから伸縮性フラップ部における親水領域を有する不織布を取り出し、該不織布においてエンボスパターンがそれぞれ異なる各領域から、１０ｍｍ×１０ｍｍの測定片を切り出す。測定片を切り出す際、エンボスパターンが異なる境界線ＥＦ（図４参照）を、一方のエンボスパターンと他方のエンボスパターンとの間の長さを２等分する中央線ＥＦと仮定し、該中央線から一方のエンボスパターン側又は他方のエンボスパターン側に１０ｍｍの間隔を空けた上で、前記測定片を無作為に切り出す。前記中央線ＥＦは、一方のエンボスパターンと、他方のエンボスパターンとの境目に最も近い、異なるパターンのエンボス部の外縁どうしの間を２等分し、且つ横方向Ｙに延びる直線である。例えば、前記境目に最も近い第１エンボス部の外縁と第２エンボス部の外縁との間を２等分し、且つ横方向Ｙに延びる直線である。そして、測定片における単位面積（１０ｍｍ四方の１００ｍｍ２）当たりのエンボス部の総面積を画像解析装置を用いて測定する。測定片は、３枚以上採取し、それらの平均値を求め、該平均値をエンボス部の総面積とする。画像解析装置として、例えば、ＫＥＹＥＮＣＥ社製、ＶＨＸ−１０００を用いることができる。なお、図４に示す中央線ＥＦは、親水領域６０と非親水領域６１との境界となる境界線ＢＬと一致している。
【００３２】
また、上述の測定片が配された領域について、下記の＜クレム吸収高さ＞の測定値によって、親水領域６０と非親水領域６１とを区切る境界線ＢＬを特定した。
＜クレム吸収高さの測定方法＞
クレム吸収高さの測定方法を図１１を用いて説明する。クレム吸収高さは、ＪＩＳ−Ｐ８１４１に準じて測定した。先ず、クレム吸収高さの測定片として、前記不織布において異なるエンボスパターンを含む測定片を切り出す。測定片として、一方のエンボスパターンと他方のエンボスパターンとの境目に最も近い第１エンボス部６５の外縁から縦方向Ｘの親水領域６０側に３０ｍｍの位置、及び前記境目に最も近い第２エンボス６６の外縁から縦方向Ｘの非親水領域６１側に３０ｍｍの位置からそれぞれ横方向Ｙに２００ｍｍのものを切り出す〔図１１（ａ）参照〕。この短冊状の測定片を、横方向Ｙを鉛直方向にして、該横方向Ｙの肌対向面側から見て右側の端部Ｒから横方向Ｙに１５ｍｍの位置に縦方向Ｘに延びる標線ＳＬを引き、前記右側の端部Ｒから標線ＳＬまでを水に浸す〔図１１（ｂ）参照〕。水に浸してかから１０分後に、水が吸い上げられた領域側を親水領域６０、水が吸い上げられなかった領域側を非親水領域６１と特定し、水が吸い上げられた領域と、水が吸い上げられていない領域の境目を、親水領域と非親水領域の境界線ＢＬとする。親水領域のクレム吸収高さは、親水領域と非親水領域の境界線ＢＬから縦方向Ｘの親水領域側の３０ｍｍ幅の帯状の領域から境界線ＢＬ側の５ｍｍ幅の帯状の領域Ｊ１を除いた残りの幅２５ｍｍの親水領域を評価域とし、該評価域における標線ＳＬから図中の上の部分の測定片のクレム吸水面積Ｓ１を評価域の幅Ｗ１（２５ｍｍ）で割った値をクレム吸水高さとする。３枚以上の測定片のクレム吸収高さの平均値を親水領域のクレム高さとする。同様に、非親水領域のクレム吸収高さは、親水領域と非親水領域の境界線ＢＬから非親水領域側の３０ｍｍ幅の帯状の領域から境界線ＢＬ側の５ｍｍ幅の帯状の領域Ｊ２を除いた残りの幅２５ｍｍの非親水領域を評価域とし、評価域における標線ＳＬから図中の上の部分の測定片のクレム吸水面積を評価域の幅Ｗ２（２５ｍｍ）で割った値をクレム吸水高さとする。３枚以上の測定片のクレム吸収高さの平均値を非親水領域のクレム高さとする。
ここで、「水が吸い上げられなかった」とは、上記測定におけるクレム高さが５ｍｍ以下である場合をさす。
【００３３】
親水領域６０は、クレム吸収高さが好ましくは５ｍｍ以上、より好ましくは２０ｍｍ以上であり、また好ましくは１８５ｍｍ以下であり、また好ましくは５ｍｍ以上１８５ｍｍ以下、より好ましくは２０ｍｍ以上１８５ｍｍ以下である。
非親水領域６１は、上述のクレム吸収高さが、好ましくは０ｍｍ以上であり、また好ましくは４ｍｍ以下、より好ましくは３ｍｍ以下であり、また好ましくは０ｍｍ以上４ｍｍ以下、より好ましくは０ｍｍ以上３ｍｍ以下である。
【００３４】
尚、おむつ等の吸収性物品からその構成部材（例えば内層不織布）を取り出して評価測定する場合において、その構成部材が、接着剤、融着などによって他の構成部材に固定されている場合には、固定されていない部分において測定するか、その固定部分を除去してから取り出す。その際、構成部材に付与された親水化剤への影響を最小限に抑える観点から、固定部分の除去方法として、溶剤の塗布やドライヤーによる熱風吹き付けのような、油剤の変質、喪失を招くおそれのある方法は採用しないことが好ましい。
【００３５】
図４に示す、親水領域６０と非親水領域６１とを区切る境界線ＢＬは、親水領域６０における第１エンボス部６５のＸ方向最下部に位置するエンボス部縁を通り横方向Ｙに延びる直線Ｋ２から縦方向Ｘの上方に１０ｍｍの位置と、非親水領域６１における第２エンボス部６６のうち縦方向Ｘ最上部に位置するエンボス部縁を通る横方向Ｙに延びる直線Ｋ３から縦方向Ｘの下方に１０ｍｍの位置との間に位置する。前記境界線ＢＬは、第１エンボス部６５のうち縦方向Ｘ最上部に位置するエンボス部縁を通り横方向Ｙに延びる直線Ｋ１と、縦方向Ｘ最下部に位置するエンボス部縁を通り横方向Ｙに延びる直線Ｋ２とを結ぶ垂線の長さをＬ２とすると、第１エンボス部６５のうち縦方向Ｘ最下部に位置するエンボス部縁を通り横方向Ｙに延びる直線Ｋ２から上方および下方にＬ２の１０％の長さをとった領域内に位置しても良い。
【００３６】
おむつ１は、伸縮性フラップ部（伸縮性ウエストフラップ部Ｇ１）に、親水領域６０と非親水領域６１と有する内層不織布２３を有しており、該親水領域６０と非親水領域６１とは単位面積当たりのエンボス部の総面積が異なっている。このようなおむつ１は、親水性を有するシートを別部材として伸縮領域に組み込んだおむつに比して、柔軟性を維持できる上、着用時に着用者の肌を刺激し難く、肌の赤み、湿疹、かぶれ等の皮膚トラブルを低減することが期待できる。また、吸水性能を損なわずに、親水領域６０を外装体１０の目的の位置に配置することができる。
一方、外装体の伸縮性フラップ部（伸縮性ウエストフラップ部Ｇ１）に親水性を有するシートを別部材として組み込むと、該シートで外装体が嵩張って剛性が高まることにより、柔軟性が低下する他、嵩張った部分の端部が身体に当って、それが刺激となり赤み等の肌トラブルを引き起こす虞がある。
おむつ１は、１枚の内層不織布２３に親水領域６０を有しているため、外装体１０が嵩張らず、柔軟性がある上、肌トラブルが生じ難い。このような効果を発揮するためには、親水領域６０を、背側部Ｂの目的の位置、即ち伸縮領域Ｇに配置することが求められるが、内層不織布２３は、親水領域６０と非親水領域６１との単位面積当たりのエンボス部の総面積が異なっているため、これら両領域６０，６１を視覚的に区別することができ、おむつ１の製造工程において親水領域６０を容易に且つ確実に伸縮領域Ｇに配することができる。
【００３７】
親水領域６０は、後述する親水性油剤を内層不織布２３の構成繊維の表面に塗布することで形成することができる。上述の親水領域６０と非親水領域６１とを視覚的に区別しつつ、親水領域６０における親水性（吸汗容量）をより確実に確保する観点から、親水領域６０は、非親水領域６１に比して、単位面積（１０ｍｍ四方の１００ｍｍ２）当たりのエンボス部の総面積が小さいことが好ましい。同様の観点から、単位面積（１０ｍｍ四方の１００ｍｍ２）当たりの第１エンボス部６５の総面積は、単位面積（１０ｍｍ四方の１００ｍｍ２）当たりの第２エンボス部６６の総面積に対して、好ましくは９０％以下、より好ましくは８０％以下であり、好ましくは３０％以上、より好ましくは５０％以上であり、また好ましくは３０％以上９０％以下、より好ましくは５０％以上８０％以下である。
親水領域６０における親水性（吸汗容量）をより確実に確保する観点から、単位面積（１０ｍｍ四方の１００ｍｍ２）当たりの第１エンボス部６５の総面積は、好ましくは０．５ｍｍ２以上、より好ましくは０．８ｍｍ２以上であり、また好ましくは１５ｍｍ２以下、より好ましくは１０ｍｍ２以下であり、また好ましくは０．５ｍｍ２以上１５ｍｍ２以下、より好ましくは０．８ｍｍ２以上１０ｍｍ２以下である。
【００３８】
本実施形態の親水領域６０及び非親水領域６１はそれぞれ、図４に示すように、円形のドット状のエンボス部６５，６６を複数有している。親水領域６０と非親水領域６１とを視覚的に容易に区別しつつ、親水領域６０における親水性（吸汗容量）をより確実に確保する観点から、親水領域６０及び非親水領域６１それぞれには、不連続のエンボス部６５，６６が複数形成されており、親水領域６０は、非親水領域６１に比して、エンボス部の１個当たりの面積が小さいことが好ましい。ここで、「不連続のエンボス部」とは、一方向に連続していない態様のエンボス部を意味し、例えば、円形、楕円形、三角形、四角形、六角形、星形、ハート形などのドット状が挙げられる。以下、このようなエンボス部を不連続エンボス部、不連続第１エンボス部、不連続第２エンボス部ともいう。
上記と同様の観点から、不連続第１エンボス部６５の１個当たりの面積は、不連続第２エンボス部６６の１個当たりの面積に対して、好ましくは９０％以下、より好ましくは８０％以下であり、また好ましくは４０％以上、より好ましくは５０％以上であり、また好ましくは４０％以上９０％以下、より好ましくは５０％以上８０％以下である。
親水領域６０における親水性（吸汗容量）をより確実に確保する観点から、不連続第１エンボス部６５の１個当たりの面積は、好ましくは５ｍｍ２以下、より好ましくは４ｍｍ２以下であり、また好ましくは０．１ｍｍ２以上、より好ましくは０．７５ｍｍ２以上であり、また好ましくは０．１ｍｍ２以上５ｍｍ２以下、より好ましくは０．７５ｍｍ２以上４ｍｍ２以下である。
【００３９】
前記エンボス部１個当たりの面積は、上述の＜単位面積当たりエンボス部の総面積の測定方法＞と同様の方法で採取した測定片から、無作為に５個のエンボス部を選び、画像解析装置を用いて、エンボス部の１個当たりの面積の平均値を求める。測定片は、３枚以上採取し、それらのエンボス部の１個当たりの面積の平均値を求め、該平均値をエンボス部１個当たりの面積とする。
【００４０】
親水領域６０及び非親水領域６１におけるエンボスパターンは、例えば図５（ａ）〜（ｅ）のパターンとすることができる。
親水領域６０と非親水領域６１とをエンボス部の密度で容易に区別し、且つ親水領域６０における親水性（吸汗容量）をより確実に確保する観点から、親水領域６０及び非親水領域６１それぞれには、不連続のエンボス部が複数形成されており、親水領域６０は、非親水領域６１に比して、単位面積（１０ｍｍ四方の１００ｍｍ２）当たりのエンボス部の個数が少ないことが好ましい。例えば、図５（ａ）に示す内層不織布２３には、親水領域６０及び非親水領域６１それぞれに、同形同大のドット状のエンボス部６５，６５が形成されており、第１エンボス部６５の個数が第２エンボス部６６に比して少ない。上記と同様の観点から、不連続第１エンボス部６５の単位面積（１０ｍｍ四方の１００ｍｍ２）当たりの個数は、不連続第２エンボス部６６の単位面積（１０ｍｍ四方の１００ｍｍ２）当たりの個数に対して、好ましくは９０％以下、より好ましくは８０％以下であり、また好ましくは４０％以上、より好ましくは５０％以上であり、また好ましくは４０％以上９０％以下、より好ましくは５０％以上８０％以下である。
【００４１】
前記単位面積当たりの不連続エンボス部の個数の算出方法を図１２を用いて説明する。異なるエンボスパターンの境界線（ＥＦ）から縦方向Ｘの親水領域側に１０ｍｍ間隔を空けた上で、基準範囲を想定し、該基準範囲内の不連続エンボス部の個数をカウントする。第１エンボス部６５については、縦方向Ｘ及び横方向Ｙそれぞれの相対位置が同一の複数のエンボス部６５を１つの繰り返し単位Ｑ１とする。基準範囲は、縦方向Ｘに配された繰り返し単位Ｑ１の２つ分の長さを基準範囲Ｂ１の縦方向Ｘの長さｅ１とする。また、横方向Ｙに配された繰り返し単位Ｑ１の２つ分の長さを基準範囲Ｂ１の横方向Ｙの長さｗ１とする。次いで、基準範囲Ｂ１内の不連続エンボス部の個数をカウントする。また、その基準範囲Ｂ１の面積（ｗ１×ｅ１）を算出し、基準範囲Ｂ１内の不連続エンボス個数を基準範囲Ｂ１の面積で割り、単位面積当たりの不連続エンボス部の個数に変換する。単位面積当たりの不連続エンボス部の個数は、下記式（１）により算出される。サンプル片の外縁付近に、エンボス部が部分的に存在する場合は、該エンボス部を１／２個と見なしてカウントする。測定片は、３枚以上採取し、それらの単位面積当たりのエンボス部の個数の平均値を求め、該平均値を単位面積当たりの不連続エンボス部の個数とする。
【００４２】
【数１】
2019118570.tif 000003
【００４３】
第２エンボス部６６についても、前述と同様の方法によって、エンボスパターンの境界線（ＥＦ）から縦方向Ｘの非親水領域６１側に１０ｍｍ間隔を空けたうえで、基準範囲Ｂ２を想定し、該基準範囲Ｂ２内の不連続エンボス部６６の個数をカウントする（図１２参照）。図１２に示す符号Ｑ２は、第２エンボス部６６についての繰り返し単位である。また、基準範囲Ｂ２の面積（ｗ２×ｅ２）を算出し、基準範囲Ｂ２内の不連続エンボス部の個数を基準範囲Ｂ２の面積で割り、単位面積当たりの不連続エンボス部の個数に変換する。なお、第２エンボス部６６に関し、単位面積当たりの不連続エンボス部の個数は、下記式（２）により算出される。
【００４４】
【数２】
2019118570.tif 000004
【００４５】
親水領域６０と非親水領域６１とをエンボス部の形状で容易に区別する観点から、親水領域６０と非親水領域６１とは、エンボス部の形状が異なっていることが好ましい。例えば、図５（ｂ）に示す内層不織布２３は、親水領域６０に菱形のドット状の第１エンボス部６５が形成され、非親水領域６１に円形のドット状の第２エンボス部６６が形成されている。図５（ｃ）に示す内層不織布２３は、親水領域６０に円形のドット状の第１エンボス部６５が形成され、非親水領域６１に菱形の格子状をなして、一方向及び該一方向と交差する方向にそれぞれ延びる線状の第２エンボス部６６が形成されている。図５（ｄ）に示す内層不織布２３は、親水領域６０に横方向Ｙに延びる直線状の第１エンボス部６５ａ及び波線状の第１エンボス部６５ｂが形成され、非親水領域６１に図５（ｃ）と同じ形状の第２エンボス部６６が形成されている。エンボス部の形状には、エンボス部自体の形状の他、図５（ｃ）及び（ｄ）に示すように、連続した線状のエンボス部が交差して、特定形状の格子状をなすものも含まれる。エンボス部自体の形状としては、前述した円形、楕円形、三角形、四角形、六角形、星形、ハート形、連続した線状のエンボス部等が挙げられる。また、特定形状の格子状をなすものとして、円形、楕円形、三角形、四角形、六角形等の碁盤格子状や千鳥格子状等が挙げられる。以下、図５（ｄ）に示すように、一方向に連続した線状のエンボス部を線状エンボス部ともいう。
また、親水領域６０及び非親水領域６１の何れか一方又は双方が、形状が異なる２種以上のエンボス部を有していても良い〔図５（ｄ）参照〕。
【００４６】
親水領域６０と非親水領域６１との区別を容易にし、且つ親水領域６０における親水性（吸汗容量）をより確実に確保する観点から、親水領域６０は、エンボス部６５どうしの間隔Ｄ１が、非親水領域６１におけるエンボス部６６どうしの間隔Ｄ２以上であることが好ましい。エンボス部どうしの間隔とは、エンボス部及び該エンボス部と最も近接する他のエンボス部の間の最短距離である〔図５（ａ）参照〕。
上記と同様の観点から、第１エンボス部どうしの間隔Ｄ１は、第２エンボス部どうしの間隔Ｄ２に対して、好ましくは１５０％以上、より好ましくは１６０％以上であり、また好ましくは２００％以下、より好ましくは１９０％以下であり、また好ましくは１５０％以上２００％以下、より好ましくは１６０％以上１９０％以下である。
親水領域６０における親水性をより確実に確保する観点から、第１エンボス部６５どうしの間隔Ｄ１は、好ましくは１ｍｍ以上、より好ましくは２ｍｍ以上であり、また好ましくは７ｍｍ以下、より好ましくは１０ｍｍ以下であり、また好ましくは１ｍｍ以上１０ｍｍ以下、より好ましくは２ｍｍ以上７ｍｍ以下である。
【００４７】
前記エンボス部どうしの間隔は、上述の＜単位面積当たりエンボス部の総面積の測定方法＞と同様の方法で採取した測定片から、エンボス部及び該エンボス部と近接する他のエンボス部からなる一対のエンボス部を無作為に２組選び、一対のエンボス部間の最短距離の平均値を求める。測定片は、３枚以上採取し、それらの一対のエンボス部間の最短距離の平均値を求め、該平均値をエンボス部どうしの間隔とする。
【００４８】
図５（ｅ）に示す内層不織布２３は、親水領域６０及び非親水領域６１それぞれに、一方向に連続する線状エンボス部６５ａ，６６ａが間隔をあけて複数本形成され、且つ該一方向と交差する方向に連続する複数の線状エンボス部６５ｂ，６６ｂが間隔をあけて複数本形成されている。一方向に連続する線状エンボス部６５ａ，６６ａは、等間隔に形成されている。また、一方向と交差する方向に連続する複数の線状エンボス部６５ｂ，６６ｂも等間隔に形成されている。即ち、親水領域６０及び非親水領域６１それぞれに、それぞれ異なる方向に延びて格子状をなしている線状エンボス部が形成されている。線状エンボス部の幅や該線状エンボス部どうしの間隔で、親水領域６０と非親水領域６１とを容易に区別する観点から、親水領域６０は、非親水領域６１に比して、同方向に伸びる隣り合う線状エンボス部どうしの間隔が長い、若しくは線状エンボス部の幅が短いことが好ましく、線状エンボス部の幅が短く、且つ線状エンボス部どうしの間隔が長いことがより好ましい。
親水領域６０における線状エンボス部の幅Ｗ１０は、非親水領域６１における線状エンボス部の幅Ｗ１２に対して、好ましくは９０％以下、より好ましくは８０％以下であり、また好ましくは４０％以上、より好ましくは６０％以上であり、また好ましくは４０％以上９０％以下、より好ましくは６０％以上８０％以下である。
親水領域６０における線状エンボス部の幅Ｗ１０は、好ましくは０．３ｍｍ以上、より好ましくは０．５ｍｍ以上であり、また好ましくは１ｍｍ以下、より好ましくは０．７ｍｍ以下であり、また好ましくは０．３ｍｍ以上１ｍｍ以下、より好ましくは０．５ｍｍ以上０．７ｍｍ以下である。
親水領域６０における線状エンボス部どうしの間隔Ｄ４は、非親水領域６１における線状エンボス部どうしの間隔Ｄ５対して、好ましくは１５０％以上、より好ましくは２００％以上であり、また好ましくは４００％以下、より好ましくは３５０％以下であり、また好ましくは１５０％以上４００％以下、より好ましくは２００％以上４００％以下である。
親水領域６０における線状エンボス部どうしの間隔Ｄ４は、好ましくは４ｍｍ以上、より好ましくは７ｍｍ以上であり、また好ましくは２０ｍｍ以下、より好ましくは１５ｍｍ以下であり、また好ましくは４ｍｍ以上２０ｍｍ以下、より好ましくは７ｍｍ以上１５ｍｍ以下である。
【００４９】
線状エンボス部の幅は、上述の＜単位面積当たりエンボス部の総面積の測定方法＞と同様の方法で採取した測定片から、線状エンボス部を無作為に２本選び、線状エンボス部の幅の平均値を求める。測定片は、３枚以上採取し、それらの線状エンボス部の幅の平均値を求め、該平均値を線状エンボス部の幅とする。
線状エンボス部どうしの間隔は、線状エンボス部及び該線状エンボス部と隣り合う他の線状エンボス部の間の最短距離であり、上述のエンボス部どうしの間隔と同じ測定方法により求めることができる。
【００５０】
上述の実施形態では、親水領域６０及び非親水領域６１の双方にエンボス部６５，６６が形成されていたが、非親水領域６１のみに、エンボス部６６が形成されていても良い。斯かる構成により、エンボス部の有無で、親水領域６０と非親水領域６１とを区別することができる。
【００５１】
親水領域６０に吸収された汗と肌との接触を防いで、着用感を向上させる観点から、親水領域６０の肌対向面に、疎水性不織布が積層されていることが好ましい。疎水性不織布は、疎水性の繊維からなる不織布であり、上述の繊維の接触角が９０度以上の繊維からなる。本実施形態においては、折り返し外層不織布２２ａが疎水性不織布で構成されており、該折り返し外層不織布２２ａが折り返し内層不織布２３ａの肌対向面を被覆するように積層している（図３参照）。このように、疎水性不織布は、外層不織布２２の折り返し部２１であっても良く、親水領域６０の肌対向面に別体の不織布として積層された補助シートであっても良い。
疎水性不織布は、親水領域６０の全域を被覆するように積層されていることが好ましい。また、本実施形態のように、折り返し外層不織布２２ａが疎水性不織布で構成されている場合、外層不織布２２の少なくとも親水領域６０に積層する部分が疎水性不織布であればよく、折り返し部のみが疎水性不織布であっても良く、外層不織布２２自体が疎水性不織布で構成されていても良い。
【００５２】
疎水性不織布から親水領域６０へ汗を効率的に移行させる観点から、親水領域６０は、疎水性不織布と接合されていることが好ましい。汗の移行性の観点から、親水領域６０と疎水性不織布との接合は、親水領域６０の構成繊維と疎水性不織布の構成繊維とが融着したエンボス部により接合されていることが好ましい。以下、親水領域６０と疎水性不織布とを接合するエンボス部を接合エンボス部ともいう。接合エンボス部６８は、親水領域６０と疎水性不織布とを接合する点で、上述の第１エンボス部６５及び第２エンボス部６６とは区別される。
【００５３】
図６に示す態様においては、外層不織布２２及び内層不織布２３を折り返す前に、親水領域６０と、外層不織布２２の親水領域６０の肌対向面となる面に積層される領域とにエンボス加工が施され、該エンボス加工により形成された接合エンボス部６８を介して、親水領域６０と外層不織布２２とが接合される〔図６（ａ）参照〕。この接合後、外層不織布２２及び内層不織布２３はそれぞれ、おむつ１の肌対向面側に折り返される〔図６（ｂ）参照〕。
【００５４】
図６に示す態様において、単位面積当たりの親水領域６０と疎水性不織布との接合面積は、単位面積当たりの接合エンボス部の面積である。親水領域６０の強度を容易に保つ観点から、単位面積当たりの第１エンボス部の総面積と、単位面積当たりの接合エンボス部の面積との合計は、単位面積当たりの第２エンボス部６６の面積以上であることが好ましい。同様の観点から、単位面積当たりの第１エンボス部の総面積と、単位面積当たりの接合エンボス部の面積との合計は、単位面積当たりの第２エンボス部６６の面積に対して、好ましくは１０１％以上、より好ましくは１０５％以上であり、また好ましくは１９０％以下、より好ましくは１８０％以下であり、また好ましくは１０１％以上１９０％以下、より好ましくは１０５％以上１８０％以下である。
【００５５】
単位面積当たりの接合エンボス部６８の面積は、上述の単位面積当たりのエンボス部の総面積の測定方法と同様の方法により求めることができる。平面視において、接合エンボス部６８と第１エンボス部６５の両エンボス部について上述の画像解析装置を用いて測定する。接合エンボス部６８と第１エンボス部６５とが重なっている場合にも、他のエンボス部と区別することなくひとつのエンボスとして面積を計測する。
また、単位面積当たりの接合エンボス部６８と第１エンボス部６５との合計個数が、単位面積当たりの非親水領域６１の第２エンボス部６６の個数以上であることが好ましい。
【００５６】
本実施形態の非親水領域６１は、一様なパターンの第２エンボス部６６を有していたが（図４参照）、一様なパターンでなくとも良い。例えば、非親水領域６１は、図７に示すように、縦方向Ｘにおいてエンボスパターンが異なっていてもよい。親水領域６０及び非親水領域６１の区別を容易に行う観点から、非親水領域６１は、親水領域６０と非親水領域６１とを区切る境界線ＢＬ側に内側端部領域Ｆ１と、該内側端部領域Ｆ１と隣接する隣接領域Ｆ２とを有している。本実施形態においては、内側端部領域Ｆ１よりも縦方向Ｘの下方側に隣接領域Ｆ２が配されている。内側端部領域Ｆ１は、隣接領域Ｆ２に比して、単位面積当たりのエンボス部の総面積が大きいことが好ましい。内側端部領域Ｆ１は、境界線ＢＬから縦方向Ｘの下方側に横方向Ｙに延びている領域であり、好ましくは縦方向Ｘに３ｍｍ以上２０ｍｍ以下、より好ましくは５ｍｍ以上８ｍｍ以下の領域である（図７参照）。
【００５７】
親水領域６０は、非親水領域６１に比して親水性が高いことから、非親水領域６１に比して汗を吸収し易い。親水性の高い部分は、着用時に汗をかきやすい部位に配されることが好ましい。本実施形態において、着用者のウエスト部に配される伸縮性ウエストフラップ部Ｇ１は、肌側不織布に親水領域６０を有しているが、着用者のウエスト部よりも下方に配される胴回り下部伸縮領域Ｇ２が、肌側不織布に親水領域６０を有していても良い。また、漏れを防ぐ観点から、親水領域６０は、吸収体４と重なっていないことが好ましく、吸収体４の縦方向Ｘの外方側に配されていることがより好ましく、吸収体４の縦方向Ｘの端部４ａ，４ｂから、ウエスト開口部７の周縁端５１までの間に配されていることがさらに好ましい。上記と同様の観点から、親水領域６０の縦方向Ｘの長さＬ１（図２参照）は、吸収体４の縦方向Ｘの端部４ａ，４ｂから、ウエスト開口部７の周縁端５１までの間の距離Ｌに対して、好ましくは５０％以上、より好ましくは７０％以上であり、また好ましくは９５％以下、より好ましくは９０％以下であり、また好ましくは５０％以上９５％以下、より好ましくは７０％以上９０％以下である。
【００５８】
本実施形態のおむつ１は、折り返し内層不織布２３ａ、即ち肌側不織布に横方向Ｙに連続する親水領域６０を１つ有しているが、該親水領域６０を複数有していても良い。例えば、肌側不織布が、縦方向Ｘに交互に並んで配された複数の親水領域６０と非親水領域６１とを有していても良い。親水領域６０を有している場合、親水領域６０の縦方向Ｘの長さＬ１は、複数の親水領域６０の縦方向Ｘの長さＬ１の合計である。
【００５９】
伸縮性ウエストフラップ部Ｇ１の弾性部材の収縮により、親水領域６０と着用者の肌とを近接して、汗を吸収し易くする観点から、図２に示すように、親水領域６０は、伸縮性ウエストフラップ部Ｇ１の複数本の弾性部材７１と重なっていることが好ましい。親水領域６０は、好ましくは２本以上、より好ましくは３本以上の伸縮性ウエストフラップ部Ｇ１の弾性部材７１と重なっている。
【００６０】
前述したように、親水領域６０は、親水性の繊維を含む領域であり、非親水領域６１は、疎水性の繊維を含む領域である。そのため、親水領域６０は非親水領域６１に比して相対的に親水性が高い。親水領域６０は、下記の＜繊維の接触角の測定方法＞により求めた繊維の接触角が、非親水領域６１の繊維の接触角よりも小さいことが好ましい。
【００６１】
＜接触角の測定方法＞
おむつから測定片を切り出す前の状態において肌対向面側に位置していた面から繊維を取り出す。この際、繊維は、ランダムに複数サンプリングし、水の接触角を測定する。測定片の「切り出す前の状態において肌対向面側に位置する面」とは、折り返し内層不織布から測定片を切り出した場合、該折り返し内層不織布の肌対向面側に位置する面となる。おむつにおいて内層不織布が折り返されていない場合、「切り出す前の状態において肌対向面側に位置する面」は内層不織布の肌対向面となる。
繊維の接触角の測定装置として、協和界面科学株式会社製の自動接触角計ＭＣＡ−Ｊを用いる。接触角の測定には蒸留水を用いる。インクジェット方式水滴吐出部（クラスターテクノロジー社製、吐出部孔径が２５μｍのパルスインジェクターＣＴＣ−２５）から吐出される液量を１０ピコリットルに設定して、水滴を、それぞれの繊維の中央の真上に滴下する。滴下の様子を水平に設置されたカメラに接続された高速度録画装置に録画する。録画装置は後に画像解析をする観点から、高速度キャプチャー装置が組み込まれたパーソナルコンピュータが望ましい。本測定では、１７ｍｓｅｃごとに画像が録画される。録画された映像において、繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維とのなす角を算出し、接触角とする。繊維は、繊維長１０ｍｍ程度に裁断し、該繊維を接触角計のサンプル台に載せて、水平に維持する。Ｎ＝５本の接触角を小数点以下１桁まで計測し、合計１０箇所の測定値を平均した値（小数点以下第１桁で四捨五入）を接触角と定義する。接触角の低いものほど親水性が高いことを意味する。測定環境は、室温２２±２℃、湿度６５±２％ＲＨとする。
そして、３枚以上の測定片における繊維の接触角の平均値を求め、これを繊維の接触角とする。
【００６２】
親水領域６０における繊維の接触角は、好ましくは８７度以下、より好ましくは８０度以下、さらに好ましくは６５度以下である。また、非親水領域６１における繊維の接触角は、好ましくは９０度以上より好ましくは１２０度以上である。
【００６３】
表面シート２は、吸収体４の肌対向面の全域を被覆するとともに、吸収体４の非肌対向面側に巻き下げられて、吸収体４の非肌対向面の一部を被覆し、該吸収体４の非肌対向面側に配された表面シート２の一部が、吸収体４の非肌対向面側で、防漏カフ形成用シート１６及び裏面シート３と重なっており、これら重なったシートどうしが、ヒートシール等の接着剤等の公知の接合手段により接合固定されている（不図示）。
【００６４】
吸収性本体５は、縦方向Ｘに沿う両側に、肌対向面側に起立する防漏カフが形成されている。防漏カフは、吸収性本体５に接合された防漏カフ形成用シート１６、及び防漏カフ形成用シート１６の自由端近傍に伸長状態で固定された防漏カフ形成用の弾性部材１７を備えている。防漏カフ形成用シート１６としては、所定幅の帯状の撥水性シートの１枚を、その縦方向に沿って二つ折りして、相対向する層間をホットメルト型接着剤又は部分的な熱シール若しくは超音波シール等で接合した２層構造のシートを用いても良い。
【００６５】
おむつ１の吸収性本体５は、図３に示すように、液透過性の表面シート２、液不透過性又は撥水性の裏面シート３、及び両シート２、３間に介在配置された液保持性の吸収体４を有しており、縦方向Ｘに長い長方形状に形成されている。吸収体４は、パルプ繊維等の繊維の集合体（不織布であっても良い）からなる吸収性コア又はこれに吸水性ポリマーの粒子を保持させてなる吸収性コアと、該吸収性コアを被覆するコアラップシート（図示せず）からなる。
【００６６】
おむつ１の外装体１０を構成する内層不織布２３以外の各部の形成材料について説明すると、表面シート２、裏面シート３、及び吸収体４の吸収性コアやコアラップシートとしては、それぞれ、この種の吸収性物品に従来用いられているものと同様のものを用いることができる。吸収性本体５の外側には、裏面シート３に重ねて、不織布やフィルム等のシートを配することもできる。
【００６７】
弾性部材７１，９１の形成材料としては、使い捨ておむつや生理用ナプキン等の吸収性物品に用いられる各種公知の弾性材料を特に制限なく用いることができる。弾性材料の形成素材のとしては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００６８】
上述の内層不織布２３は、おむつ１の製造工程において、内層不織布２３の連続シートがロール状に巻回された原反ロール２５を加工して製造される。本実施形態における内層不織布２３の原反ロールは、帯状シートの連続方向に延在する親水領域６０と、該親水領域６０に隣接する非親水領域６１とを有しており、親水領域６０及び非親水領域６１のうちの一方又は双方に不織布の構成繊維が融着したエンボス部が複数形成されており、親水領域６０と非親水領域６１とは、単位面積当たりのエンボス部の総面積が異なっている、帯状シートのロール巻回物である。斯かる構成により、親水領域６０と非親水領域６１とを視覚的に区別することができ、親水領域を外装体の目的の位置に配置することができる。また、本実施形態における内層不織布２３の原反ロールは、熱可塑性繊維どうしを溶融接合したエンボス部を複数有しており、さらに親水領域６０は、熱可塑性繊維の配向方向に沿って連続している。
【００６９】
前記原反ロールとして、図８及び図９に示すものが挙げられる。図８に示す原反ロール２５ａは、該原反ロール２５ａの連続方向に延びる親水領域６０を３つ有し、該連続方向と直交する原反ロール２５ａの軸方向Ｘ１に沿って、非親水領域６１と親水領域６０とが交互に並んでいる。図９に示す原反ロール２５ｂは、軸方向Ｘ１の両側の端部に非親水領域６１を有し、該非親水領域６１間に親水領域６０を有している。図８に示す原反ロール２５ａは、連続方向に延びる２箇所の切断線で切断することにより、連続方向に延びる帯状シート２６が３枚得られる。切断線の位置は、各帯状シート２６が親水領域６０及び非親水領域６１を有するように設定する。例えば、図８に示すように、切断線の位置Ｉ１を親水領域６０内に設定することで、軸方向Ｘ１の片方の端部に親水領域６０を有する帯状シート２６ａが得られる。また、切断線の位置Ｉ１を非親水領域６１内に設定することで、軸方向Ｘ１の両側の端部に非親水領域６１を有する帯状シート２６ｂが得られる。図９に示す原反ロール２５ｂは、切断線の位置を、親水領域６０の軸方向Ｘ１の両側の端部の何れか一方の位置Ｉ３，Ｉ４に設定することができる。
【００７０】
原反ロール２５の連続シートに親水領域６０を部分的に形成する方法として、巻回する前の原料シート（不織布）の構成繊維の表面に親水性油剤を塗布する方法等が挙げられる。横方向Ｙに延在する親水領域６０を容易に形成する観点から、不織布の構成繊維の配向に沿って、該構成繊維の表面に親水性油剤を塗布する方法を採用することが好ましい。このような方法としては、各種公知の方法を特に制限なく採用することができる。例えば、スプレーによる塗布、スロットコーターによる塗布、ロール転写による塗布、親水性油剤への浸漬等が挙げられる。
【００７１】
原料シートの坪量は、特に制限されず、適宜調整することができる。実用上十分な強度を確保しつつ嵩張らないようにする観点から、原料シートの坪量は、好ましくは９ｇ／ｍ２以上２０ｇ／ｍ２以下、より好ましくは１２ｇ／ｍ２以上１８ｇ／ｍ２以下、さらに好ましくは１５ｇ／ｍ２以上１７ｇ／ｍ２以下である。
【００７２】
原料シートとしては各種の不織布を用いることができ、例えば、スパンボンド不織布、エアスルー不織布、スパンレース不織布、ヒートロール不織布、メルトブローン不織布又はこれらの積層不織布等が挙げられる。
【００７３】
原料シートの構成繊維としては、熱融着性繊維を用いることができる。例えば、ポリエチレン、ポリプロピレン等のポリオレフィン；ポリエチレンテレフタレート等のポリエステル；ナイロン６、ナイロン６６等のポリアミド；ポリアクリル酸、ポリメタクリル酸アルキルエステル、ポリ塩化ビニル、ポリ塩化ビニリデン等が挙げられ、これらの１種を単独で又は２種以上を組み合わせて用いることができる。
【００７４】
上述の親水性油剤としては、衛生品用途に使用される一般的な親水化剤であれば特に限定されない。親水性油剤が表面に塗布された構成繊維は、例えば、熱風送風式の乾燥機により、該構成繊維の融点より十分に低い温度（例えば１２０℃以下）で乾燥される。
親水性油剤の塗布量は、固形分換算で、好ましくは０．００１ｇ／ｍ２以上、より好ましくは０．０１ｇ／ｍ２以上であり、また好ましくは０．７ｇ／ｍ２以下、さらに好ましくは０．６ｇ／ｍ２以下であり、また好ましくは０．００１ｇ／ｍ２以上０．７ｇ／ｍ２以下、より好ましくは０．０１ｇ／ｍ２以上０．６ｇ／ｍ２以下である。
【００７５】
外装体１０を容易に製造する観点から、原反ロール２５からの帯状シートの切り出しは、図９に示すように、外層不織布２２の連続シートを積層した状態で切断することが好ましい。
【００７６】
本実施形態における内層不織布２３として、熱可塑性繊維どうしを溶融接合したエンボス部を複数有し、該熱可塑性繊維の配向方向に沿って連続する親水性が高い親水領域と、該親水領域に隣接する非親水領域とを有しており、該親水領域と該非親水領域とは、単位面積当たりの前記エンボス部の総面積が異なっている、吸収性物品用シートを用いる。このような吸収性物品用シートは、上述の本発明の原反ロールと同様の効果が奏される。また、前記吸収性物品用シートは、吸収性物品における伸縮性を有する領域に用いられることが好ましい。
【００７７】
以上、本発明の好ましい実施形態について説明したが、本発明は、上述した実施形態に制限されず、本発明の趣旨を逸脱しない範囲で種々変更が可能である。
例えば、本発明の使い捨ておむつは、外装体１０が、着用者の背側に配される背側外装体と腹側に配される腹側外装体とに分割されており、吸収性本体が、背側外装体と腹側外装体との間に架け渡して固定されているタイプのパンツ型使い捨ておむつであったが、背側部にファスニングテープを有し、該ファスニングテープを腹側部の外面に設けたランディングテープに止着して装着する、いわゆる展開型の使い捨ておむつであっても良い。展開型の使い捨ておむつにおいては、両側縁に、脚廻りの形状に適合するように凹状の切り欠き部を形成した部分を股下部とし、その前後に位置する部分が背側部及び腹側部である。
【００７８】
また、本実施形態のおむつ１は、腹側外装体１０Ａと背側外装体１０Ｂとは同様の構成を有していたが、腹側外装体１０Ａにおける親水領域６０と、背側外装体１０Ｂと親水領域６０との面積や、第１エンボス部６５の単位面積当たりの総面積や形状等のパターン、疎水性不織布との接合面積を異ならせていてもよい。
【００７９】
また、本実施形態において伸縮領域は、外層不織布２２及び内層不織布２３との間に複数の弾性部材７１，９１を配することで伸縮性を有していたが、外層不織布２２及び内層不織布２３との間にシート状の弾性部材を配して構成されていても良い。また、外層不織布２２及び内層不織布２３の何れか一方又は双方が横方向Ｙに収縮する伸縮性シートで構成されていても良い。伸縮性シートとしては、各種公知のものを用いることができ、例えば、特開２００８−１７９１２８号公報に記載の伸縮シート、特開２００７−２２０６６号公報に記載の伸縮性シート、特開２００７−２２０６６号公報に記載の伸縮性不織布の製造方法により製造される伸縮性不織布、特許３０５４９３０号公報等を用いることもできる。
【００８０】
また、本実施形態の内層不織布２３は、折り目部分５２ｂで肌対向面側に折り返されていたが、図１０に示すように、折り返されていなくとも良い。図１０に示す実施形態では、外層不織布２２のみが折り返されている。本実施形態の外層不織布２２は、折り目部分５２ａで肌対向面側に折り返されていたが、折り返されていなくとも良い。また、図１３に示すように、内層不織布２３及び外層不織布２２の何れもが折り返されていなくとも良い。図１３に示す外装体は、肌側不織布である内層不織布２３に親水領域６０を有している。また、図１４に示すように、外装体は、内層不織布２３を具備せず、折り返された外層不織布２２を備えていても良い。図１４においては、肌側不織布である折り返し外層不織布２２ａに親水領域６０を有している。さらに、図１５に示すように、外装体は、内層不織布２３ではなく、外層不織布２２に親水領域６０を有していても良い。図１５においては、折り返し外層不織布２２ａに親水領域６０を有している。
【００８１】
本実施形態の外装体１０は、伸縮領域として伸縮性ウエストフラップ部Ｇ１及び胴回り下部伸縮領域Ｇ２を具備していたが、伸縮領域として伸縮性ウエストフラップ部Ｇ１又は胴回り下部伸縮領域Ｇ２のみを有していても良い。
【００８２】
上述した実施形態に関し、さらに以下の使い捨ておむつ、帯状シートのロール巻回物及び吸収性物品用シートを開示する。
＜１＞
着用者の前後方向に対応する縦方向及びこれに直交する横方向を有し、着用者の腹側に配される腹側部と、着用者の背側部に配される背側部と、該腹側部及び該背側部の間に位置する股下部とを有し、吸収体を具備する使い捨ておむつであって、
前記腹側部及び前記背側部のうちの少なくとも前記背側部は、少なくとも前記吸収体と重ならない部位に、複数枚の不織布が積層された構造を有し且つ弾性部材が前記横方向に沿って伸長状態で配された伸縮性フラップ部を有しており、
前記伸縮性フラップ部は、前記弾性部材よりも肌対向面側に位置する肌側不織布に、前記横方向に延在する親水領域と、該親水領域に隣接する非親水領域とを有しており、
前記親水領域及び前記非親水領域のうちの一方又は双方に、前記肌側不織布の構成繊維が融着したエンボス部が複数形成されており、
前記親水領域と前記非親水領域とは、単位面積当たりの前記エンボス部の総面積が異っている、使い捨ておむつ。
【００８３】
＜２＞
前記親水領域は、クレム吸収高さが好ましくは５ｍｍ以上、より好ましくは２０ｍｍ以上であり、また好ましくは１８５ｍｍ以下、また好ましくは５ｍｍ以上１８５ｍｍ以下、より好ましくは２０ｍｍ以上１８５ｍｍ以下である、前記＜１＞に記載の使い捨ておむつ。
＜３＞
前記非親水領域は、上述のクレム吸収高さが好ましくは０ｍｍ以上、また好ましくは４ｍｍ以下、より好ましくは３ｍｍ以下であり、また好ましくは０ｍｍ以上４ｍｍ以下、より好ましくは０ｍｍ以上３ｍｍ以下である、前記＜１＞又は＜２＞に記載の使い捨ておむつ。
＜４＞
前記親水領域は、前記非親水領域に比して、単位面積当たりの前記エンボス部の総面積が小さい、前記＜１＞〜＜３＞の何れか１に記載の使い捨ておむつ。
＜５＞
前記親水領域における単位面積（１０ｍｍ四方の１００ｍｍ２）当たりの前記エンボス部の総面積は、前記非親水領域における単位面積（１０ｍｍ四方の１００ｍｍ２）当たりの前記エンボス部の総面積に対して、好ましくは９０％以下、より好ましくは８０％以下であり、好ましくは３０％以上、より好ましくは５０％以上であり、また好ましくは３０％以上９０％以下、より好ましくは５０％以上８０％以下である、前記＜４＞に記載の使い捨ておむつ。
＜６＞
前記親水領域における単位面積（１０ｍｍ四方の１００ｍｍ２）当たりの前記エンボス部の総面積は、好ましくは０．５ｍｍ２以上、より好ましくは０．８ｍｍ２以上であり、また好ましくは１５ｍｍ２以下、より好ましくは１０ｍｍ２以下であり、また好ましくは０．５ｍｍ２以上１５ｍｍ２以下、より好ましくは０．８ｍｍ２以上１０ｍｍ２以下である、前記＜４＞に記載の使い捨ておむつ。
＜７＞
前記親水領域及び前記非親水領域それぞれには、不連続の前記エンボス部が複数形成されており、
前記親水領域は、前記非親水領域に比して、前記エンボス部の１個当たりの面積が小さい、前記＜１＞〜＜６＞の何れか１に記載の使い捨ておむつ。
＜８＞
前記親水領域における不連続の前記エンボス部の１個当たりの面積は、前記非親水領域における不連続の前記エンボス部の１個当たりの面積に対して、好ましくは９０％以下、より好ましくは８０％以下であり、また好ましくは４０％以上、より好ましくは５０％以上であり、また好ましくは４０％以上９０％以下、より好ましくは５０％以上８０％以下である、前記＜７＞に記載の使い捨ておむつ。
＜９＞
前記親水領域は、単位面積（１０ｍｍ四方の１００ｍｍ２）当たりの前記エンボス部の総面積が、好ましくは０．５ｍｍ２以上、より好ましくは０．８ｍｍ２以上であり、また好ましくは１５ｍｍ２以下、より好ましくは１０ｍｍ２以下であり、また好ましくは０．５ｍｍ２以上１５ｍｍ２以下、より好ましくは０．８ｍｍ２以上１０ｍｍ２以下である、前記＜７＞又は＜８＞に記載の使い捨ておむつ。
＜１０＞
前記親水領域及び前記非親水領域それぞれには、不連続の前記エンボス部が複数形成されており、
前記親水領域は、前記非親水領域に比して、単位面積当たりの前記エンボス部の個数が少ない、前記＜１＞〜＜９＞の何れか１に記載の使い捨ておむつ。
【００８４】
＜１１＞
前記親水領域における前記エンボス部の単位面積（１０ｍｍ四方の１００ｍｍ２）当たりの個数は、前記非親水領域における前記エンボス部の単位面積（１０ｍｍ四方の１００ｍｍ２）当たりの個数に対して、好ましくは９０％以下、より好ましくは８０％以下であり、また好ましくは４０％以上、より好ましくは５０％以上であり、また好ましくは４０％以上９０％以下、より好ましくは５０％以上８０％以下である、前記＜１０＞に記載の使い捨ておむつ。
＜１２＞
前記親水領域と前記非親水領域とは、前記エンボス部の形状が異なっている、前記＜１＞〜＜１１＞の何れか１に記載の使い捨ておむつ。
＜１３＞
前記親水領域は、前記エンボス部どうしの間隔が、前記非親水領域における前記エンボス部どうしの間隔以上である、前記＜１＞〜＜１２＞の何れか１に記載の使い捨ておむつ。
＜１４＞
前記親水領域における前記エンボス部どうしの間隔Ｄ１は、前記非親水領域における前記エンボス部どうしの間隔Ｄ２に対して、好ましくは１５０％以上、より好ましくは１６０％以上であり、また好ましくは２００％以下、より好ましくは１９０％以下であり、また好ましくは１５０％以上２００％以下、より好ましくは１６０％以上１９０％以下である、前記＜１３＞に記載の使い捨ておむつ。
＜１５＞
前記親水領域における前記エンボス部どうしの間隔Ｄ１は、好ましくは１ｍｍ以上、より好ましくは２ｍｍ以上であり、また好ましくは７ｍｍ以下、より好ましくは１０ｍｍ以下であり、また好ましくは１ｍｍ以上１０ｍｍ以下、より好ましくは２ｍｍ以上７ｍｍ以下である、前記＜１３＞又は＜１４＞に記載の使い捨ておむつ。
＜１６＞
前記親水領域及び前記非親水領域それぞれには、一方向に連続する前記エンボス部が間隔をあけて複数本形成されており、
前記親水領域は、前記非親水領域に比して、前記エンボス部どうしの間隔が長い、若しくは前記エンボス部の幅が短い、又は前記エンボス部どうしの間隔が長く且つ前記エンボス部の幅が短い、前記＜１＞〜＜１５＞の何れか１に記載の使い捨ておむつ。
＜１７＞
前記親水領域における前記エンボス部の幅Ｗ１０は、前記非親水領域における前記エンボス部の幅Ｗ１２に対して、好ましくは９０％以下、より好ましくは８０％以下であり、また好ましくは４０％以上、より好ましくは６０％以上であり、また好ましくは４０％以上９０％以下、より好ましくは６０％以上８０％以下である、前記＜１６＞に記載の使い捨ておむつ。
＜１８＞
前記親水領域における前記エンボス部の幅Ｗ１０は、好ましくは０．３ｍｍ以上、より好ましくは０．５ｍｍ以上であり、また好ましくは１ｍｍ以下、より好ましくは０．７ｍｍ以下であり、また好ましくは０．３ｍｍ以上１ｍｍ以下、より好ましくは０．５ｍｍ以上０．７ｍｍ以下である、前記＜１６＞又は＜１７＞に記載の使い捨ておむつ。
＜１９＞
前記親水領域における前記エンボス部どうしの間隔Ｄ４は、前記非親水領域における前記エンボス部どうしの間隔Ｄ５対して、好ましくは１５０％以上、より好ましくは２００％以上であり、また好ましくは４００％以下、より好ましくは３５０％以下であり、また好ましくは１５０％以上４００％以下、より好ましくは２００％以上４００％以下である、前記＜１６＞〜＜１８＞の何れか１に記載の使い捨ておむつ。
＜２０＞
前記親水領域における前記エンボス部どうしの間隔Ｄ４は、好ましくは４ｍｍ以上、より好ましくは７ｍｍ以上であり、また好ましくは２０ｍｍ以下、より好ましくは１５ｍｍ以下であり、また好ましくは４ｍｍ以上２０ｍｍ以下、より好ましくは７ｍｍ以上１５ｍｍ以下である、前記＜１６＞〜＜１９＞の何れか１に記載の使い捨ておむつ。
【００８５】
＜２１＞
前記非親水領域のみに、前記エンボス部が形成されている、前記＜１６＞〜＜２０＞の何れか１に記載の使い捨ておむつ。
＜２２＞
前記親水領域の肌対向面に、疎水性不織布が積層されている、前記＜１＞〜＜２１＞の何れか１に記載の使い捨ておむつ。
＜２３＞
前記親水領域は、前記疎水性不織布と接合している、前記＜２２＞に記載の使い捨ておむつ。
＜２４＞
前記親水領域における単位面積当たりの前記エンボス部の総面積、及び単位面積当たりの前記親水領域と前記疎水性不織布との接合面積の合計は、単位面積当たりの前記非親水領域の前記エンボス部の面積以上である、前記＜２３＞の何れか１に記載の使い捨ておむつ。
＜２５＞
単位面積当たりの前記親水領域における前記エンボス部の総面積と、単位面積当たりの前記接合面積との合計は、単位面積当たりの前記非親水領域における前記エンボス部の面積に対して、好ましくは１０１％以上、より好ましくは１０５％以上であり、また好ましくは１９０％以下、より好ましくは１８０％以下であり、また好ましくは１０１％以上１９０％以下、より好ましくは１０５％以上１８０％以下である、前記＜２４＞に記載の使い捨ておむつ。
＜２６＞
前記親水領域は、前記疎水性不織布と接合エンボス部を介して接合しており、単位面積当たりの該接合エンボス部と前記エンボス部との合計個数が、単位面積当たりの前記非親水領域の前記エンボス部の個数以上である、前記＜２４＞又は＜２５＞に記載の使い捨ておむつ。
＜２７＞
前記非親水領域６１は、前記親水領域と該非親水領域とを区切る境界線ＢＬ側に内側端部領域Ｆ１と、該内側端部領域Ｆ１に隣接する隣接領域Ｆ２とを有しており、
前記内側端部領域Ｆ１は、隣接領域Ｆ２に比して、単位面積当たりのエンボス部の総面積が大きい、前記＜１＞〜＜２６＞の何れか１に記載の使い捨ておむつ。
＜２８＞
前記腹側部における前記横方向の両端部と、前記背側部における前記横方向の両端部との接合により、ウエスト開口部及び一対のレッグ開口部が形成されており、
前記親水領域の前記縦方向の長さＬ１は、前記吸収体の前記縦方向の端部から、前記ウエスト開口部の周縁端までの間の距離Ｌに対して、好ましくは５０％以上、より好ましくは７０％以上であり、また好ましくは９５％以下、より好ましくは９０％以下であり、また好ましくは５０％以上９５％以下、より好ましくは７０％以上９０％以下である、前記＜１＞〜＜２７＞の何れか１に記載の使い捨ておむつ。
＜２９＞
前記親水領域における繊維の接触角は、好ましくは８７度以下、より好ましくは８０度以下、さらに好ましくは６５度以下である、前記＜１＞〜＜２８＞の何れか１に記載の使い捨ておむつ。
＜３０＞
前記非親水領域における繊維の接触角は、好ましくは９０度以上より好ましくは１２０度以上である、前記＜１＞〜＜２９＞の何れか１に記載の使い捨ておむつ。
【００８６】
＜３１＞
帯状シートの連続方向に延在する親水領域と、該親水領域に隣接する非親水領域とを有しており、
前記親水領域は、前記熱可塑性繊維の配向方向に沿って連続しており、
前記親水領域及び前記非親水領域のうちの一方又は双方に不織布の構成繊維が融着したエンボス部が複数形成されており、
前記親水領域と前記非親水領域とは、単位面積当たりの前記エンボス部の総面積が異なっている、帯状シートのロール巻回物。
＜３２＞
吸収性物品の伸縮性フラップ部を構成する不織布として用いられる不織布の巻回物である、前記＜３１＞に記載の帯状シートのロール巻回物。
＜３３＞
親水領域と、該親水領域に隣接する非親水領域とを有しており、
前記親水領域及び前記非親水領域のうちの一方又は双方に、不織布の構成繊維が融着したエンボス部が複数形成されており、
前記親水領域と前記非親水領域とは、単位面積当たりの前記エンボス部の総面積が異なっている、吸収性物品用シート。
＜３４＞
吸収性物品の伸縮性フラップ部を構成する不織布として用いられる吸収性物品用シートである、前記＜３３＞に記載の吸収性物品用シート。
【符号の説明】
【００８７】
１  使い捨ておむつ
２  表面シート
３  裏面シート
４  吸収体
５  吸収性本体
６  防漏カフ
１０  外装体
１０Ａ  腹側外装体（外装体）
１０Ｂ  背側外装体（外装体）
２０  外装体本体
２１  折り返し部
２２  外層不織布
２３  内層不織布
６０  親水領域
６１  非親水領域
６５  第１エンボス部
６６  第２エンボス部
７１，９１  弾性部材
５１  周縁端
５２  折り目部分
７  ウエスト開口部
８  レッグ開口部
Ａ  腹側部
Ｂ  背側部
Ｃ  股下部
【図１】
2019118570.tif 000005
【図２】
2019118570.tif 000006
【図３】
2019118570.tif 000007
【図４】
2019118570.tif 000008
【図５】
2019118570.tif 000009
【図６】
2019118570.tif 000010
【図７】
2019118570.tif 000011
【図８】
2019118570.tif 000012
【図９】
2019118570.tif 000013
【図１０】
2019118570.tif 000014
【図１１】
2019118570.tif 000015
【図１２】
2019118570.tif 000016
【図１３】
2019118570.tif 000017
【図１４】
2019118570.tif 000018
【図１５】
2019118570.tif 000019